(57)【要約】【課題】蒸気タービンの蒸気状態が変動する場合にも復水器の真空度を適切に設定可能な復水器真空度制御技術を提供する。【解決手段】蒸気タービン６から排出された蒸気を復水する復水器１１の真空度を制御する復水器真空度制御システム１を、復水器１１に空気抽出管２８を介して接続された空気抽出器２７と、空気抽出管２７に設けられた空気抽出調整弁３１と、蒸気タービン６に流入する蒸気の温度を検出する温度検出器４０と、蒸気タービン６に流入する蒸気の圧力を検出する圧力検出器４１と、温度検出器４０及び圧力検出器４１に接続された制御装置４５と、を有するように構成する。制御装置４５は、温度検出器４０から入力された蒸気の検出温度と圧力検出器４１から入力された蒸気の検出圧力に基づいて、空気抽出調整弁３１の開度を制御する。【選択図】図１
2008267688.tif 000002
【特許請求の範囲】
【請求項１】
蒸気タービンから排出された蒸気を復水する復水器の真空度を制御する復水器真空度制御システムであって、
前記復水器に空気抽出管を介して接続された空気抽出器と、
前記空気抽出管に設けられた空気抽出調整弁と、
前記蒸気タービンに流入する蒸気の温度を検出する温度検出器と、
前記蒸気タービンに流入する蒸気の圧力を検出する圧力検出器と、
前記温度検出器及び前記圧力検出器に接続された制御装置と、を有し、
前記制御装置は、前記温度検出器から入力された蒸気の検出温度と前記圧力検出器から入力された蒸気の検出圧力に基づいて、前記空気抽出調整弁の開度を制御することを特徴とする、復水器真空度制御システム。
【請求項２】
前記制御装置は、前記入力された蒸気の検出温度及び検出圧力から湿り度が許容可能な前記復水器の真空度を算出し、前記復水器の真空度が前記算出した真空度になるように前記空気抽出調整弁の開度を制御することを特徴とする、請求項１に記載の復水器真空度制御システム。
【請求項３】
前記湿り度が許容可能な前記復水器の真空度を算出する際に、前記蒸気タービンで行われる膨張仕事を比エンタルピー及び比エントロピーの近似関数で表すことによって算出することを特徴とする、請求項２に記載の復水器真空度制御システム。
【請求項４】
前記復水器の真空度を検出する真空度検出器を有し、
前記真空度検出器は前記制御装置に接続されており、
前記制御装置は、前記真空度検出器から入力された前記復水器の真空度が、前記算出した真空度になるように前記空気抽出調整弁の開度を制御することを特徴とする、請求項２又は３に記載の復水器真空度制御システム。
【請求項５】
前記空気抽出調整弁は、前記空気抽出器による空気の抽出を粗調整する空気抽出調整大弁と、前記空気抽出器による空気の抽出を微調整する空気抽出調整小弁と、を有することを特徴とする、請求項１〜４のいずれかに記載の復水器真空度制御システム。
【請求項６】
前記制御装置は、前記復水器の真空度を低下させる場合には、前記空気抽出調整大弁の開度の調整をした後に前記空気抽出調整小弁の開度を調整するように制御し、前記復水器の真空度を上昇させる場合には、前記空気抽出調整小弁の開度を調整した後に前記空気抽出調整大弁の開度を調整するように制御することを特徴とする、請求項５に記載の復水器真空度制御システム。
【請求項７】
請求項１〜６のいずれかに記載の復水器真空度制御システムを備えていることを特徴とする、発電プラント。
【発明の詳細な説明】
【技術分野】
【０００１】
本発明は、例えば発電プラント等において蒸気タービンから排出された蒸気を復水する復水器の真空度を制御する復水器真空度制御システムと、該システムを備えた発電プラントに関する。
【背景技術】
【０００２】
一般に、発電プラントでは、ボイラで発生させた蒸気を用いて蒸気タービン内のロータを回転させることにより発電が行われる。発電プラントは、蒸気タービンから排出された蒸気を冷却する復水器を備えており、この復水器で蒸気を凝縮した後に、得られた復水を給水ポンプ等によって再度ボイラに送込んで循環させる構成になっている。
【０００３】
復水器では、内部に配設された復水管に冷却水を流し、蒸気と冷却水とを熱交換させることによって蒸気の冷却が行われる。また、復水器には、復水器内の空気を抽出する空気抽出器が接続されており、復水器と空気抽出器の間にある空気抽出調整弁の開度を調整することによって、復水器の真空度を制御できるようになっている。
【０００４】
復水器の真空度は、蒸気タービンの排出側の真空度と概ね同じ値になるため、復水器の真空度を適切に設定することにより、蒸気タービンの効率を最適化することができ、発電プラントを安定させると共に稼動効率を向上させることが可能になる。
【０００５】
特許文献１には、復水器の真空度を検出する真空度検出器を用いた復水器真空度制御技術が開示されている。この復水器真空度制御技術では、蒸気タービンの起動時において、真空度検出器で検出した復水器の真空度に基づいて、復水器の真空度を所定の設定値に設定するように自動制御することが可能である。
【特許文献１】特開平５−１１３２９４号公報
【発明の開示】
【発明が解決しようとする課題】
【０００６】
しかしながら、上記特許文献１の復水器真空度制御技術は、蒸気タービンの起動時など、特定される操業に対しては有効であるが、例えば日々プラント負荷の上げ下げを行う発電プラントに適用した場合等には、その度毎に復水器の真空度の設定値を設定し直す必要があり、操作が面倒である。
【０００７】
また、予め設定された負荷に対しては蒸気状態が予測可能であるため、真空度の設定値も予め予測した値を使用することができるが、設備トラブル等の何らかの事由で予定外の負荷で発電プラントを運転する必要がある場合には、実際の蒸気状態と予測した蒸気状態との間のずれから復水器の真空度が不適切に設定されてしまう恐れがある。復水器の真空度が不適切であると、タービン排気蒸気の湿り度が高くなり（即ち、乾き度が低くなり）、蒸気タービンの例えば最終翼等へ水滴によるエロージョンが発生して設備が損壊する危険がある。
【０００８】
本発明は上記課題に鑑みてなされたものであり、蒸気タービンの蒸気状態が変動する場合にも復水器の真空度を適切に設定可能な復水器真空度制御技術を提供することをその目的とする。
【課題を解決するための手段】
【０００９】
上記課題を解決するために、本発明によれば、蒸気タービンから排出された蒸気を復水する復水器の真空度を制御する復水器真空度制御システムであって、前記復水器に空気抽出管を介して接続された空気抽出器と、前記空気抽出管に設けられた空気抽出調整弁と、前記蒸気タービンに流入する蒸気の温度を検出する温度検出器と、前記蒸気タービンに流入する蒸気の圧力を検出する圧力検出器と、前記温度検出器及び前記圧力検出器に接続された制御装置と、を有し、前記制御装置は、前記温度検出器から入力された蒸気の検出温度と前記圧力検出器から入力された蒸気の検出圧力に基づいて、前記空気抽出調整弁の開度を制御することを特徴とする、復水器真空度制御システムが提供される。
【００１０】
上記復水器真空度制御システムにおいて、前記制御装置は、前記入力された蒸気の検出温度及び検出圧力から湿り度が許容可能な前記復水器の真空度を算出し、前記復水器の真空度が前記算出した真空度になるように前記空気抽出調整弁の開度を制御するようにしてもよい。
【００１１】
上記復水器真空度制御システムにおいて、前記湿り度が許容可能な前記復水器の真空度を算出する際に、前記蒸気タービンで行われる膨張仕事を比エンタルピー及び比エントロピーの近似関数で表すことによって算出するようにしてもよい。
【００１２】
上記復水器真空度制御システムにおいて、前記復水器の真空度を検出する真空度検出器を有し、前記真空度検出器は前記制御装置に接続されており、前記制御装置は、前記真空度検出器から入力された前記復水器の真空度が、前記算出した真空度になるように前記空気抽出調整弁の開度を制御するようにしてもよい。
【００１３】
上記復水器真空度制御システムにおいて、前記空気抽出調整弁は、前記空気抽出器による空気の抽出を粗調整する空気抽出調整大弁と、前記空気抽出器による空気の抽出を微調整する空気抽出調整小弁と、を有していてもよい。
【００１４】
上記復水器真空度制御システムにおいて、前記制御装置は、前記復水器の真空度を低下させる場合には、前記空気抽出調整大弁の開度の調整をした後に前記空気抽出調整小弁の開度を調整するように制御し、前記復水器の真空度を上昇させる場合には、前記空気抽出調整小弁の開度を調整した後に前記空気抽出調整大弁の開度を調整するように制御してもよい。
【００１５】
本発明によれば、上記復水器真空度制御システムを備えていることを特徴とする発電プラントが提供される。
【発明の効果】
【００１６】
本発明によれば、蒸気タービンに流入する蒸気の温度及び圧力に基づいて、復水器からの空気の抽出を調整する制御を行うようにしたことによって、例えば発電プラントが負荷の上げ下げを行いながら運転される場合、又は発電プラントが事故等によって予想外のプラント負荷で運転された場合等のように、蒸気タービンの蒸気状態が変動する場合においても蒸気タービンに接続された復水器の真空度を適切に制御することができる。これにより、タービン排気蒸気の湿り度が高くなってしまうことを防止し、蒸気タービンに致命的なエロージョンが発生してしまう事態を回避できる。また、復水器に設定する真空度として湿り度が許容可能な真空度（乾き度が許容可能な真空度ともいえる）を算出する際に、蒸気タービンで行われる膨張仕事を比エンタルピー及び比エントロピーの近似関数で表すことにより、計算が非常に容易になる。
【発明を実施するための最良の形態】
【００１７】
以下、図面を参照しながら、本発明の好適な実施形態について説明をする。なお、本明細書及び図面において、実質的に同一の機能構成を有する要素については、同一の符号を付することにより重複説明を省略する。
【００１８】
図１は、本発明の第１の実施の形態に係る復水器真空度制御システム１を備えた発電プラント２の一例を示す系統構成図である。図１を用いて発電プラント２及び復水器真空度制御システム１の構成について説明する。
【００１９】
まず、発電プラント２の構成について説明する。発電プラント２は、図１に示すように、配管４を通して供給された水を加熱して蒸気にするボイラ５と蒸気タービン６が主蒸気管３によって接続された構成を有する。これにより、ボイラ５で生成された蒸気が主蒸気管３経由で蒸気タービン６に供給され、蒸気タービン６内のロータ（図示せず）が蒸気によって回転し、蒸気タービン６に結合された発電機７の発電が行われる。
【００２０】
蒸気タービン６には排気ダクト１０を介して復水器１１が接続されており、蒸気タービン６から排出された蒸気がこの復水器１１により冷却されて復水に凝縮されるようになっている。復水器１１には、配管１５、１６等を介して給水ポンプ１７が接続されており、凝縮された復水が給水ポンプ１７に送られるようになっている。さらに、給水ポンプ１７は、配管４を介してボイラ５に接続されており、配管１６からの水をボイラ５に圧送して供給するようになっている。
【００２１】
以上述べたようにして、発電プラント２は、ボイラ５、蒸気タービン６、復水器１１及び給水ポンプ１７が順に接続されて蒸気サイクル（ランキンサイクル）の循環系が形成されている。
【００２２】
まず、発電プラント２の復水器１１について説明する。本発明の実施の形態では、復水器１１内を通過するようにして復水器冷却水管２０が配設されており、冷却水として例えば海水等をこの復水器冷却水管２０内に流すことによって復水器１１内に導入された蒸気タービン６からの蒸気を冷却することができるように構成されている。復水器１１内での冷却により蒸気から凝縮された復水は、配管１５を経由して後述するセパレータ２５に供給される。
【００２３】
復水器１１には、図１に示すように、復水器１１から空気を抽出する空気抽出器２７が空気抽出管２８を介して接続されている。本実施の形態では、空気抽出器２７として例えば真空ポンプが用いられている。空気抽出管２８は、空気抽出器２７に接続されている。空気抽出管２８には、開度の調整が可能な空気抽出調整弁３１が設けられており、空気抽出器２７による復水器１１からの空気の抽出を調整することができるようになっている。
【００２４】
空気抽出器２７は、配管３５を介してセパレータ２５に接続されており、復水器１１から抽出した空気をセパレータ２５に排気するように構成されている。このセパレータ２５は、空気抽出機２７からの空気を不凝結ガスと水に分離することが可能である。図１に示すように、セパレータ２５は、配管３７を介して排気塔３９に接続されており、分離した不凝結ガスを排気塔３９に排気するようになっている。また、セパレータ２５で分離された水は、復水器１１から配管１５を介してセパレータ２５に供給された復水と共に、配管１６経由で給水ポンプ１７に送られるようになっている。
【００２５】
次に、発電プラント２が備える復水器真空度制御システム１について説明する。復水器真空度制御システム１は、図１に示すように、主蒸気管３に設けた温度検出器４０及び圧力検出器４１によって蒸気タービン６に流入する蒸気の温度及び圧力を各々検出することができるように構成されている。温度検出器４０及び圧力検出器４１は制御装置４５に接続されており、検出された蒸気の検出温度及び検出圧力が制御装置４５に入力されるようになっている。また、復水器１１には、復水器１１の真空度を検出する真空度検出器４７が設けられており、この真空度検出器４７も制御装置４５に接続されている。これにより、真空度検出器４７によって検出された復水器１１の真空度が制御装置４５に入力されるようになっている。制御装置４５は、入力された蒸気の検出温度、検出圧力及び復水器１１の真空度に基づいて、空気抽出調整弁３１の開度を調整する制御を行うことができる。
【００２６】
以上のように構成された復水器真空度制御システム１によって復水器１１の真空度を制御する手順の一例について説明する。本実施の形態では、復水器真空度制御システム１の制御装置４５によって、以下で説明する制御が自動的に行われている。
【００２７】
蒸気タービン６に流入する蒸気の温度が温度検出器４０により検出されると共に、蒸気タービン６に流入する蒸気の圧力が圧力検出器４１により検出される。検出された蒸気の検出温度及び検出圧力は、復水器真空度制御システム1の制御装置４５に入力される。制御装置４５は、かような状態量（即ち、検出温度及び検出圧力）である蒸気が蒸気タービン６内で自由膨張により所定の仕事を行った場合に、蒸気タービン６の排出側で蒸気の湿り度が許容可能な値になる真空度の設定値を例えば後述する計算手順によって算出する。なお、蒸気タービン６の排出側で「蒸気の湿り度が許容可能な値」とは、蒸気タービン６内でエロージョン等の問題を発生させない適切な値であることを意味し、範囲のある値であるため、「蒸気の湿り度が許容可能な値になる真空度の設定値」も範囲のある値になるが、後述する計算手順では湿り度が許容可能になる値の臨界値に対応する真空度の値を設定値として求めている。
【００２８】
蒸気タービン６の排気側での圧力と復水器１１の圧力（即ち、真空度）は、同じ値とみなすことができるため、制御装置４５は、空気抽出調整弁３１の開度を制御して空気抽出器２７による復水器１１からの空気の抽出を調整し、復水器１１の真空度が算出した設定値になるように制御する。制御の際には、復水器１１の真空度が真空度検出器４７によって検出されて制御装置４５に入力される。制御装置４５は、入力された復水器１１の真空度が算出した設定値に一致するように、空気抽出調整弁３１の開度を制御する。復水器１１の真空度が算出した設定値に一致すると制御が完了する。
【００２９】
蒸気タービン６の排出側で蒸気の湿り度を許容可能な値にする圧力の設定値（即ち、復水器１１の真空度）を算出する具体的な計算手順について説明する。図２は、図１に示す発電プラント２における蒸気の状態量を示す蒸気ｉ−ｓ線図（比エンタルピー比エントロピー線図）である。図２において、横軸は蒸気の比エントロピー（ｓ）を示し、縦軸は蒸気の比エンタルピー（ｉ）を示している。
【００３０】
図２に示す飽和線の上側の領域は、気体のみが存在する状態を示しており、飽和線の下側の領域は、気体及び液体が存在する状態を示している。図２の点Ａは、蒸気タービン６に流入する蒸気の状態量を示しており、蒸気の温度はＴ１、圧力はＰ１である。点Ａで示す状態量の蒸気が蒸気タービン６で膨張して点線Ｗ１で示す仕事をすると、図２の点Ｂで示す状態量の蒸気になる。即ち、図２の点Ｂは、蒸気タービン６の排出側の蒸気の状態量を示している。点Ｂに示す状態では、蒸気の圧力はＰｃ１であり、乾き度はＸ１である。復水器１１の圧力（即ち、真空度）と、蒸気タービン６の排気側の圧力とは概ね等しい値であるため、点Ｂに示す状態の蒸気の圧力は、復水器１１の真空度として真空度検出器４７で検出される値である。
【００３１】
上述した点Ａから点Ｂへの蒸気の状態変化は適切に行われており、乾き度Ｘ１は、蒸気タービン６の例えば最終翼等に水滴によるエロージョンが発生しない最適な値の最低値（即ち、臨界値）であるとする。既述したように、この場合の計算手順では、「蒸気の湿り度が許容可能な値になる真空度」の設定値を、「湿り度が許容可能になる値」の臨界値に対応する値として求めている。なお、この場合には、湿り度の代わりに乾き度を用いて説明するが、「湿り度＝１−乾き度」の関係があり、湿り度を用いて考えてもよい。
【００３２】
制御装置４５は、上述したように点Ａで示す蒸気タービン６に流入する蒸気の状態量（温度、圧力等）、点線Ｗ１で示す蒸気タービン６で行われる仕事、点Ｂで示す蒸気タービン６の排気側での蒸気の状態量（温度、圧力等）等、適切なケースの情報を指標として予め保持している。なお、これらの情報は制御装置４５に後から入力されてもよい。
【００３３】
蒸気タービン６に流入する蒸気が、図２の点Ａで示す状態から点Ｃで示すように温度がＴ１のまま、圧力がＰ２である状態に変化した場合について考える。復水器１１の真空度が点Ｂと同じＰＣ１に設定されている場合には、図２の点Ｃで示す蒸気は、蒸気タービン６内で膨張して図２の点線Ｗ２で示す仕事をした後に、図２の点Ｄで示す状態になる。点Ｄで示す状態では、乾き度はＸ２であり、この値は、許容可能な乾き度の最低値であるＸ１よりも小さく、蒸気タービン６でエロージョンが発生してしまう危険性がある。エロージョンの発生を回避するためには、図２の点Ｅで示す通り、仕事をした後の蒸気の乾き度が許容可能な乾き度がＸ１以上になるように、復水器１１の真空度をＰＣ２以下に設定する必要がある。
【００３４】
制御装置４５は、以下の計算手順によって蒸気が許容可能な乾き度の臨界値Ｘ１になる復水器１１の真空度ＰＣ２を算出する。復水器１１の内部の蒸気は飽和状態にあるから、復水器１１の真空度ＰＣ２に相当する飽和温度ＴＣ２は、下記式（１）で表される。
【００３５】
【数１】
2008267688.tif 000003
【００３６】
飽和温度ＴＣ２の飽和水の比エンタルピーｉ’は、下記式（２）で表される。
【００３７】
【数２】
2008267688.tif 000004
【００３８】
蒸気温度ＴＣ２、蒸気圧力ＰＣ２の乾き飽和蒸気の比エンタルピーｉ''は、下記式（３）で表される。
【００３９】
【数３】
2008267688.tif 000005
【００４０】
蒸気温度ＴＣ２、蒸気圧力ＰＣ２の乾き飽和蒸気の比エントロピーｓ''は、下記式（４）で表される。
【００４１】
【数４】
2008267688.tif 000006
【００４２】
飽和温度ＴＣ２の飽和水の比エントロピーｓ’は、下記式（５）で表される。
【００４３】
【数５】
2008267688.tif 000007
【００４４】
許容可能な乾き度Ｘ１における比エントロピーｓは飽和温度ＴＣ２の飽和水の比エントロピーｓ’と、蒸気温度ＴＣ２、蒸気圧力ＰＣ２の乾き飽和蒸気の比エントロピーｓ''とを用いて下記式（６）で表される。
【００４５】
【数６】
2008267688.tif 000008
【００４６】
許容可能な乾き度Ｘ１における比エンタルピーｉは飽和温度ＴＣ２の飽和水の比エンタルーｉ’と、蒸気温度ＴＣ２、蒸気圧力ＰＣ２の乾き飽和蒸気の比エンタルピーｉ''とを用いて下記式（７）で表される。
【００４７】
【数７】
2008267688.tif 000009
【００４８】
さらに、図２に示す点Ｃと点Ｄを結ぶ点線Ｗ２の傾きが点Ａと点Ｂを結ぶ点線Ｗ１の傾き（αとする）と同じであると仮定すると、Ｃ点で示す蒸気温度Ｔ１、蒸気圧力Ｐ２の蒸気状態で蒸気タービン６に流入した蒸気の膨張は、下記式（８）の近似関数で表すことができる。
【００４９】
【数８】
2008267688.tif 000010
【００５０】
なお、上式（８）中のβは、β＝ｉ２−α×ｓ２で求まる値である。ここで、ｉ２は、上式（３）中の蒸気温度ＴＣ２、蒸気圧力ＰＣ２を各々、点Ｃで示す状態の蒸気温度Ｔ１、蒸気圧力Ｐ２に置換えて得られる比エンタルピーである。また、ｓ２は、上式（４）中の蒸気温度ＴＣ２、蒸気圧力ＰＣ２を各々、点Ｃで示す状態の蒸気温度Ｔ１、蒸気圧力Ｐ２に置換えて得られる比エントロピーである。
【００５１】
未知数がＰＣ２、ＴＣ２、ｉ、ｉ’、ｉ’’、ｓ、ｓ’、ｓ’’の８個であり、関係式の数も上式（１）〜（８）に示したように同数の８個あるので、これら８個の式（１）〜（８）を演算することによって、８個の未知数を求めることが可能である。即ち、制御装置４５は、上式（１）〜（８）の連立方程式を演算することによって、蒸気が許容可能な乾き度Ｘ１になる復水器１１の真空度ＰＣ２を算出する。
【００５２】
以上の本発明の第１の実施の形態によれば、蒸気タービン６に流入する蒸気の温度及び圧力を温度検出器４０及び圧力検出器４１で検出して制御装置４５に入力し、検出された蒸気の検出温度及び検出圧力に基づいて制御装置４５が空気抽出弁３１の開度を制御するようにしたことによって、蒸気タービン６に流入する蒸気の状態が変化した場合にも、復水器１１の真空度を適切に設定することが可能になる。これによって、蒸気タービン６の排気側で蒸気の湿り度が高くなってしまうことを防止することができ、蒸気タービン６に致命的なエロージョンが発生してしまう事態を回避できる。
【００５３】
特に、制御装置４５が復水器１１に設定する真空度として、湿り度が許容可能な真空度を算出する際に、蒸気タービン６で行われる膨張仕事Ｗ２を比エンタルピー及び比エントロピーの近似関数（上式（８））で表すことにより、上述したように連立方程式を解くことだけで算出することができ、計算が非常に容易化される。
【００５４】
本発明の第２の実施の形態として、図３に示すように、復水器真空度制御システム１が制御する空気抽出調整弁として、空気の抽出の粗調整を行う空気抽出調整大弁３１ａと、空気の抽出の微調整を行う空気抽出調整小弁３１ｂの２種類の弁が併用されていてもよい。本発明の第２の実施の形態では、図３に示すように、２本の空気抽出管２８ａ、２８ｂが別個に復水器１１に接続されている。これらの空気抽出管２８ａ、２８ｂの空気抽出器２７側で合流し、１本になって空気抽出器２７に接続されている。合流前の空気抽出管２８ａには、空気抽出調整大弁３１ａが設けられており、合流前の空気抽出管２８ｂには、空気抽出調整小弁３１ｂが設けられている。
【００５５】
空気抽出調整大弁３１ａの絶対的な最大開度は、空気抽出調整小弁３１ｂの絶対的な最大開度よりも大きくなっている。また、制御装置４５は、空気抽出調整大弁３１ａと、空気抽出調整小弁３１ｂとを個別に制御して各々の開度を調整することができるようになっている。
【００５６】
上述した２種類の空気抽出調整弁３１ａ、３１ｂを用いて、制御装置４５が復水器１１の真空度を調整する手順を図４を用いて説明する。図４の上図（ａ）は、空気抽出器２７によって復水器１１の真空度を初期設定値ＰＣ１（図４に示す場合には７５０ｍｍＨｇ）から新設定値ＰＣ２（図４に示す場合には７００ｍｍＨｇ）に変更する際に、真空度検出器４７で検出された復水器１１の真空度の時間推移の一例を関数Ｌ１として示している。なお、図４の上図（ａ）の縦軸は、復水器１１の真空度（ｍｍＨｇ）を示し、横軸は時間を示している。真空度は、大気圧から絶対圧を減じて得られる値であり、例えば絶対真空（絶対圧０ｍｍＨｇ）の場合の真空度は、７６０−０＝７６０ｍｍＨｇになる。
【００５７】
図４の下図（ｂ）は、空気抽出調整大弁３１ａ及び空気抽出調整小弁３１ｂの各開度を制御する際に制御装置４５から各々に送信される制御信号の大きさの時間推移の一例を関数Ｌ２、Ｌ３として示している。図４の下図（ｂ）の縦軸は、制御信号の大きさを示しており、横軸は時間を示している。なお、制御信号の大きさは、空気抽出調整小弁３１ａ及び空気抽出調整大弁３１ｂの開度と比例し、制御信号が大きいほど開度が大きくなっている。また、図４の上図（ａ）の横軸と下図（ｂ）の横軸は対応しており、横軸の同じ位置は同じ時間の状態を示している。
【００５８】
発電プラント２は、初期状態（即ち、図４に示す時間０）において、図２の点Ａで示す状態の蒸気が蒸気タービン６に流入し、且つ復水器１１の真空度がＰＣ１（即ち、図２の点Ｂ）に設定されて運転されていたとする。その後、時間が図４に示す時間ｔ１になり、蒸気タービン６に流入する蒸気が図２の点Ｃで示す状態に変化したものと仮定する。制御装置４５は、温度検出器４０から入力された蒸気の検出温度と、圧力検出器４１から入力された蒸気の検出温度に基づいて、復水器１１に新たに設定する最適な真空度の新設定値をＰＣ２と算出する。新設定値ＰＣ２の算出方法は、本発明の第１の実施の形態と同様にして行われる。
【００５９】
次に、制御装置４５は、例えばＰＣ１＋（ＰＣ２−ＰＣ１）×０．５の計算式で計算される値を、空気抽出調整大弁３１ａと空気抽出調整小弁３１ｂを切替える弁切替値Ｐｓｗｉとして設定する。図４に示す場合には、ＰＣ１＝７５０（ｍｍＨｇ）、ＰＣ２＝７００（ｍｍＨｇ）であるので、Ｐｓｗｉ＝７２５（ｍｍＨｇ）になる。なお、（ＰＣ２−ＰＣ１）に乗じる数値は０．５以外の任意の数値であってもよいが、０．５〜０．７の範囲に設定するのが好ましい。
【００６０】
図４に示す例では、復水器１１の真空度を低下させる（即ち、圧力を上昇させる）動きとなるので、まず、制御装置４５から空気抽出調整大弁３１ａに制御信号が出力される。復水器１１の真空度が上述した弁切替値Ｐｓｗｉに到達する時間ｔ２になった時点で、制御装置４５は、空気抽出調整大弁３１ａの制御信号（即ち、開度）を固定し、空気抽出調整小弁３１ｂへの制御信号の出力を開始する。なお、復水器１１の真空度を上昇させる（即ち、圧力を低下させる）動きをさせる場合には、前記空気抽出調整小弁３１ｂの開度を調整した後に前記空気抽出調整大弁３１ａの開度を調整するように制御する。
【００６１】
本発明の第２の実施の形態によれば、空気抽出調整弁として空気抽出調整大弁３１ａと空気抽出調整小弁３１ｂの２種類を設け、制御装置４５が復水器１１の真空度を低下させる場合には、空気抽出調整大弁３１ａの開度の調整をした後に空気抽出調整小弁３１ｂの開度を調整するように制御したことによって、従来公知の場合のように空気抽出調整弁の閉動作が大き過ぎて真空度が設定値を超過し、タービン設備保護の観点で設定されている真空度の許容値を越え、タービンがトリップしてしまう危険を回避することができる。一方、復水器１１の真空度を上昇させる場合には、空気抽出調整小弁３１ｂの開度を調整した後に空気抽出調整大弁３１ａの開度を調整するように制御するようにしたことによって、空気抽出調整小弁３１ｂの開度を通常全開状態で待機させ（例えば、７２０ｍｍＨｇ以上の真空度の場合は常に全開状態）、真空度を低下させる際に、微調整の効く空気抽出調整小弁３１ｂの能力をフルに発揮させるようにすることができる。また、本発明の第２の実施の形態では、図１に示す第１の実施の形態と同様の効果を有する。
【００６２】
以上、添付図面を参照しながら本発明の好適な実施形態について説明したが、本発明は係る例に限定されない。当業者であれば、特許請求の範囲に記載された技術的思想の範疇内において、各種の変更例又は修正例に想到し得ることは明らかであり、それらについても当然に本発明の技術的範囲に属するものと了解される。
【００６３】
上述した実施形態においては、復水器真空度制御システム１が発電プラント２に適用されている場合について説明したが、復水器真空度制御システム１は発電プラント２以外の設備に設置されてもよい。
【００６４】
上述した実施形態においては、復水器真空度制御システム１の制御装置４５が自動的に制御を行う場合について説明したが、制御の一部又は全部が手動で行われてもよい。
【００６５】
上述した実施形態においては、空気抽出器２７として真空ポンプが用いられている場合について説明したが、真空ポンプ以外にエジェクタ等その他の装置が用いられてもよい。
【００６６】
上述した実施形態においては、制御装置４５が上式（１）〜（８）を演算することによって、蒸気が許容可能な乾き度Ｘ１になる復水器１１の真空度を算出する場合について説明したが、その他の計算手順により蒸気が許容可能な乾き度になる復水器の真空度を算出するようにしてもよい。
【００６７】
上述した実施形態においては、制御装置４５が「蒸気の湿り度が許容可能な値になる真空度の設定値」として、「蒸気の湿り度が許容可能な値」の臨界値に対応する値を算出し、復水器１１の真空度がこの設定値になるように制御する場合について説明したが、「蒸気の湿り度が許容可能な値になる真空度の設定値」は、「蒸気の湿り度が許容可能な値」の範囲のある値のうち、任意の値に対応する値であってもよいし、範囲のある値として設定されてもよい。
【産業上の利用可能性】
【００６８】
本発明は、蒸気タービンから排出された蒸気を復水する復水器を備えた発電プラントに特に有用である。
【図面の簡単な説明】
【００６９】
【図１】本発明の第１の実施の形態に係る復水器真空度制御システム１を備えた発電プラント２の一例を示す系統構成図である。
【図２】図１に示す発電プラント２における蒸気の状態量を示す蒸気ｉ−ｓ線図（比エンタルピー比エントロピー線図）である。
【図３】本発明の第２の実施の形態に係る復水器真空度制御システム１を備えた発電プラント２の一例を示す系統構成図である。
【図４】制御装置４５が復水器１１の真空度を調整する際の手順を説明する説明図であり、上図（ａ）は、真空度検出器４７で検出された復水器１１の真空度の時間推移の一例を示し、下図（ｂ）は、この真空度の制御の際に制御装置４５から空気抽出調整大弁３１ａ及び空気抽出調整小弁３１ｂに各々送信される制御信号の大きさの時間推移の一例を示している。
【符号の説明】
【００７０】
１    復水器真空度制御システム
２    発電プラント
３    主蒸気管
４、１５、１６、３５、３７    配管
５    ボイラ
６    蒸気タービン
７    発電機
１０    排気ダクト
１１    復水器
１７    給水ポンプ
２０    復水器冷却水管
２５    セパレータ
２７    空気抽出器
２８、２８ａ、２８ｂ    空気抽出管
３１    空気抽出調整弁
３１ａ    空気抽出調整大弁
３１ｂ    空気抽出調整小弁
３９    排気塔
４０    温度検出器
４１    圧力検出器
４５    制御装置
４７    真空度検出器
Ａ〜Ｅ    蒸気の状態
Ｌ１    復水器の真空度の時間推移を示す関数
Ｌ２    空気抽出調整大弁３１ａに送られる制御信号の時間推移を示す関数
Ｌ３    空気抽出調整小弁３１ｂに送られる制御信号の時間推移を示す関数
Ｐ１、Ｐ２    圧力
ＰＣ１、ＰＣ２    真空度（圧力）
Ｐｓｗｉ    弁切替値
Ｔ１    温度
Ｗ１、Ｗ２    仕事
Ｘ１、Ｘ２    乾き度
【図１】
2008267688.tif 000011
【図２】
2008267688.tif 000012
【図３】
2008267688.tif 000013
【図４】
2008267688.tif 000014